(57)【要約】【課題】  水栓カバーと接続してカウンターをすっきりとした状態で浴室内に設置することのできる浴室カウンター構造を提供する。【解決手段】  水栓本体を覆う水栓カバー５の左，右にカウンター４ａ，４ｂを接続し、水栓カバー５とカウンター４ａ，４ｂが横並びにすっきりとした状態で配設される。  また、カウンター４ａ，４ｂの端部を、水栓カバー５内に呑み込ませて接続することにより、カウンター４ａ，４ｂをずらして左右方向を調整することができ、現場で隙間調整を容易に行うことができるものとなる。【選択図】  図４
2005334170.tif 000002
【特許請求の範囲】
【請求項１】
水栓本体を覆う水栓カバーの左および／または右にカウンターを接続し、前記水栓カバーとカウンターが横並びに配設されていることを特徴とする浴室カウンター構造。
【請求項２】
前記カウンターの端部を、前記水栓カバーの左側面および／または右側面に設けられた開口部に差し込むことにより、前記カウンターと前記水栓カバーとを接続したことを特徴とする請求項１に記載の浴室カウンター構造。
【請求項３】
浴槽のエプロンと洗い場側の壁間に横設され、中央に水栓カバーを設けたカウンターであって、該カウンターは、前記浴槽側の左カウンターと前記壁側の右カウンターに分割され、左右のカウンターは同一形状からなり、その一端側が前記エプロンのカウンターと当接する部分の形状に合わせたエプロン形状部で、他端側が前記壁に合わせたストレート形状部を有して共通化されており、前記右カウンターのエプロン形状部は、前記水栓カバー内に呑み込まれていることを特徴とする請求項２に記載の浴室カウンター構造。
【発明の詳細な説明】
【技術分野】
【０００１】
本発明は、浴室内に設置されるカウンターの構造に関するものである。
【背景技術】
【０００２】
従来、浴室内に設置されるカウンターは、特許文献１に開示されているように、左右に分割されたものがあり、また、特許文献２に開示されているように、左右に分割されたカウンターをボウルのカバーで呑み込む構造がある。
【特許文献１】特開平９−２２８４３４号公報
【特許文献２】特開平１０−２６２８４１号公報
【発明の開示】
【発明が解決しようとする課題】
【０００３】
しかし、従来では、水栓を覆う水栓カバーにカウンターを接続した構造は存在しないものであった。
【課題を解決するための手段】
【０００４】
本発明は、水栓カバーを利用して、水栓カバーにカウンターを接続し、すっきりとした状態に設置できる浴室カウンター構造を提供するものであり、請求項１は、水栓本体を覆う水栓カバーの左および／または右にカウンターを接続し、前記水栓カバーとカウンターが横並びに配設されていることである。
【０００５】
また請求項２は、前記カウンターの端部を、前記水栓カバーの左側面および／または右側面に設けられた開口部に差し込むことにより、前記カウンターと前記水栓カバーとを接続したことである。
【０００６】
また請求項３は、浴槽のエプロンと洗い場側の壁間に横設され、中央に水栓カバーを設けたカウンターであって、該カウンターは、前記浴槽側の左カウンターと前記壁側の右カウンターに分割され、左右のカウンターは同一形状からなり、その一端側が前記エプロンのカウンターと当接する部分の形状に合わせたエプロン形状部で、他端側が前記壁に合わせたストレート形状部を有して共通化されており、前記右カウンターのエプロン形状部は、前記水栓カバー内に呑み込まれていることである。
【発明の効果】
【０００７】
本発明の浴室カウンター構造は、水栓本体を覆う水栓カバーの左および／または右にカウンターを接続し、水栓カバーとカウンターが横並びに配設されていることにより、水栓カバーにカウンターが接続されているため、カウンターの寸法を短く設定することができ、カウンターの輸送コスト等を低減させることができるものとなり、また左側と右側のカウンターの意匠を変えることもでき、水栓カバーとカウンターを一体化させて、すっきりとした状態で設置することができるものとなる。
【０００８】
また、カウンターの端部を、水栓カバーの左側面および／または右側面に設けられた開口部に差し込むことにより、カウンターと水栓カバーとを接続したことにより、水栓カバー内にカウンターの端部を差し込み、カウンターをずらして左右方向を調整することができ、現場で隙間調整を容易に行うことができるものとなる。
【０００９】
また、カウンターは、浴槽側の左カウンターと壁側の右カウンターに分割され、左右のカウンターは同一形状からなり、その一端側がエプロンのカウンターと当接する部分の形状に合わせたエプロン形状部で、他端側が壁に合わせたストレート形状部を有して共通化されており、右カウンターのエプロン形状部は、水栓カバー内に呑み込まれていることにより、左右のカウンターを共通化でき、また寸法を短いものに設定できて、押出成形等で容易に成形することができ、寸法が短いために輸送コストも低減させることができ、左カウンターはその一端側のエプロン形状部を浴槽のエプロンに当接させて、すっきりとした状態で設置することができ、また右カウンターのエプロン形状部は、水栓カバー内に呑み込ませて隠すことができ、すっきりとした設置状態が得られ、また水栓カバー内への呑み込み代を調整することにより、浴槽のエプロンと洗い場側の壁間に隙間なくピッタリとカウンターを設置することができるものとなる。
【実施例】
【００１０】
以下、本発明の実施例を図面に基づいて説明する。
図１は、浴室の平面概略構成図であり、浴室１内に設置された浴槽２の側方には、洗い場３が形成されており、洗い場３にはカウンター４が、洗い場３の壁３ａに右端を当接させて設置されており、カウンター４の左端には、浴槽２のエプロン２ａ側に水栓カバー５が接続されている。
この水栓カバー５とカウンター４は、当接状態で接続されても良く、また後述するように、水栓カバー５内にカウンター４の端部を呑み込ませて接続することもできるものであり、呑み込ませて接続する場合には、現場でカウンター４を左右方向にずらして、カウンター４の右端を良好に洗い場３の壁３ａに隙間なく当接させて、すっきりとした状態で設置できるものとなる。
【００１１】
また、図２の平面図で示すものは、カウンター４の左端を浴槽２のエプロン２ａに当接させて洗い場３の壁３ａ方向に横設させ、カウンター４の右端に水栓カバー５を接続したものである。
【００１２】
また、図３の平面図で示すものは、中央部に水栓カバー５を配置して、この水栓カバー５の左側に左カウンター４ａを設け、右側に右カウンター４ｂを設けたものである。
即ち、カウンターは左カウンター４ａと右カウンター４ｂに分割されて、それぞれ短い寸法に形成されており、輸送コストを低減させて現場に搬入することができるものとなっている。
現場において、水栓カバー５に対し、左カウンター４ａと右カウンター４ｂを接続して、水栓カバー５とカウンター４ａ，４ｂを一体化させて、すっきりとした状態に設置することができるものである。
【００１３】
なお、図４は、図３の拡大斜視図を示すものであり、左カウンター４ａの左端部は、浴槽２のエプロン２ａに当接されており、また右カウンター４ｂの右端側は、洗い場３の壁３ａに当接されて、隙間のないすっきりとした状態に設置することができるものである。
なお、図４において、図中８は洗面器台である。
【００１４】
なお、水栓カバー５は、図５の断面拡大図で示すような構造となっており、内部には水栓本体６を入れることができて、水栓本体６を水栓カバー５で覆うことができ、水栓本体６に設けられているハンドル６ａ，６ｂと下方の吐水口６ｃを、この水栓カバー５から露出させることができるものである。
なお、左カウンター４ａおよび右カウンター４ｂは、中空状に形成されており、内部に水栓本体６へ給水するための配管７を配設できるように構成されている。
【００１５】
水栓カバー５には、左右側面に、左カウンター４ａおよび右カウンター４ｂを差し込むことのできる左差込溝部（開口部）５ａ、および右差込溝部（開口部）５ｂが開口形成されており、水栓カバー５は洗い場３側から押し込んで左カウンター４ａおよび右カウンター４ｂに取り付けできるように構成されている。
【００１６】
なお、図５に示すように、左カウンター４ａの右端側および右カウンター４ｂの左端側を、それぞれ現場で左右方向にずらして、左差込溝部５ａおよび右差込溝部５ｂ内への呑み込み代を調整することができるものであり、呑み込み代を適宜調整して、左カウンター４ａの左端部を良好にエプロン２ａに隙間なく当接させることができ、また右カウンター４ｂの右端側を隙間なく洗い場３の壁３ａに当接させて、隙間のないすっきりとした状態にカウンター４ａ，４ｂを設置することができるものである。
【００１７】
なお、更に図６の平面構成図で示すものは変更例であり、図６では、浴槽２のエプロン２ａの形状が変化しており、このエプロン２ａのカウンターと当接する部分の形状に合わせて、左カウンター４ａの左端部は、予めエプロン２ａ形状に整合するエプロン形状部４１に形成されており、左カウンター４ａの右端部は、ストレートなストレート形状部４２に形成されている。
この左カウンター４ａと右カウンター４ｂは、同一形状に形成されて共通化されており、現場で中央部に水栓カバー５を取り付ける際に、水栓カバー５の左差込溝部５ａ内には、左カウンター４ａのストレート形状部４２を差し込んで呑み込ませ、水栓カバー５の右差込溝部５ｂ内には、右カウンター４ｂのエプロン形状部４１を差し込んで呑み込ませて接続することができ、右カウンター４ｂのエプロン形状部４１を良好に水栓カバー５内に呑み込ませて隠すことができ、接続状態では、左カウンター４ａと水栓カバー５と右カウンター４ｂが一体化したすっきりとした状態となる。
【００１８】
また、左カウンター４ａのストレート形状部４２の呑み込み代をずらして調整することで、左カウンター４ａのエプロン形状部４１をエプロン２ａに隙間なく当接させて設置することができ、また右カウンター４ｂのエプロン形状部４１の呑み込み代を調整して、ストレート形状部４２を洗い場の壁３ａに隙間なく当接させて、すっきりとした状態に設置することができるものである。
【００１９】
このように、浴槽エプロン２ａの形状に合わせて、予めエプロン形状部４１を有するカウンターを用意し、共通化した左カウンター４ａと右カウンター４ｂをそれぞれ短い寸法で作成して、輸送コストを低減させて現場に搬入することができ、現場で一方側のカウンターのエプロン形状部４１を水栓カバー５内に呑み込ませて良好に隠すことができ、極めてすっきりとした設置状態を得ることができるものとなる。
なお、左カウンター４ａと右カウンター４ｂは、好みに応じて色等の異なるものを使用することで、浴室の意匠を好みに合わせて変更することも可能である。
【図面の簡単な説明】
【００２０】
【図１】水栓カバーに接続してカウンターを設置した状態の浴室の平面構成図である。
【図２】カウンターの設置状態の変更例を示す浴室の平面構成図である。
【図３】更に異なるカウンターの設置状態の変更例を示す浴室の平面構成図である。
【図４】図３の要部拡大斜視構成図である。
【図５】水栓カバー内にカウンターの端部を呑み込ませて接続した状態の縦断面拡大構成図である。
【図６】カウンターの一端側にエプロン形状部と、他端側にストレート形状部を形成させた場合の設置状態の平面拡大構成図である。
【符号の説明】
【００２１】
１  浴室
２  浴槽
２ａ  エプロン
３  洗い場
３ａ  壁
４  カウンター
４ａ  左カウンター
４ｂ  右カウンター
５  水栓カバー
５ａ  左差込溝部（開口部）
５ｂ  右差込溝部（開口部）
６  水栓本体
６ｃ  吐水口
７  配管
４１  エプロン形状部
４２  ストレート形状部
【図１】
2005334170.tif 000003
【図２】
2005334170.tif 000004
【図３】
2005334170.tif 000005
【図４】
2005334170.tif 000006
【図５】
2005334170.tif 000007
【図６】
2005334170.tif 000008